(57)【要約】【課題】グリップ部と打球部を備えた打球用運動具を使用した運動の、スイング動作に必要な足、腰、腕、手首に充分な負荷をかけて筋力を向上し、その際に手首に無駄な負荷がかからない、携帯性に優れたハンディタイプのスイング練習具を提供することを目的とする。【解決手段】グリップ部と打球部を備えたスイング練習具において、スイング練習具の略中央部にグリップ部軸を中心軸として回転可能に回転体を設け、該回転体にゴムバンドの一端を連結した。【選択図】  図１
2005095338.tif 000002
【特許請求の範囲】
【請求項１】
グリップ部と打球部を備えたスイング練習具において、スイング練習具の略中央部にグリップ部軸を中心軸として回転可能に回転体を設け、該回転体にゴムバンドの一端を連結したことを特徴とするスイング練習具。
【請求項２】
前記スイング練習具はバットスイング練習用であることを特徴とする請求項１記載のスイング練習具。
【請求項３】
前記スイング練習具はテニススイング練習用又はゴルフスイング練習用であることを特徴とする請求項１記載のスイング練習具。
【請求項４】
グリップ部と打球部を備えた既存の運動具の略中央部に、該グリップ部軸を中心軸として回転可能な回転体を装着し、この回転体にゴムバンドの一端を連結してなることを特徴とするスイング練習具用回転バンド。
【請求項５】
前記回転体をバットに装着することを特徴とする請求項４記載のスイング練習具用回転バンド。
【請求項６】
テニスラケット又はゴルフクラブに前記回転体を装着することを特徴とする請求項４記載のスイング練習具用回転バンド。
【発明の詳細な説明】
【技術分野】
【０００１】
本発明は、グリップ部と打球部を備えた打球用運動具を使用する運動において、脇が締まり手首に無駄な負荷がかからず、理想的なスイングに必要なバランスのよい負荷を体にかけることでスイングスピードとパワーの向上に効果的なハンディタイプのスイング練習具に関する。
【背景技術】
【０００２】
例えば、野球におけるバッティングにおいては、バットスイングのスピードとパワーが要求される。
ここで理想のバッティングとはテイクバック時からバットのヘッドが立つようにしてそのままインサイドアウトに振り出すことだと言われている。
このようなスイングが良いといわれる理由はテイクバックからヒッティングポイントへ最短距離で導け、ボールを見極めるための時間の余裕が生まれ、そしてわずかな力で力強くヘッドスピードを高めることができるからである。             
従来、バッティングに必要な筋力を向上する練習として、重く形成したバットを使用した素振りや、バットと柱などの間に取り付けたゴムチューブなどの復元力に抗してのスイング動作が行われていた。
しかしながら、それらはバッティングに不要な力も使うため不適切な練習であった。
特にゴムチューブを使用したスイング動作練習においては、グリップ部がねじられてしまうため正しいバッティングフォームが習得し難いものであった。
特開２００３−２４４９２号公報においては、バットの先端に連結装置を設け索条体を連結し、索条体の一端を動滑車を介して上下移動する重錘に連結し、その重錘をバットで索条体を引いて持ち上げるように練習する技術が開示されている。
しかしながら、この技術においてはバットの先端を索条体で引っ張るためヘッドが寝てしまい脇があいてしまう。
この状態からヘッドが下がるアウト（ドアー）スイングを行うと手首を痛める可能性があった。
一方、負荷に負けないように力をいれてヘッドを立てながらスイングしようとすると手首にスイング以外の大きな負担がかかり、また足、腰、うでにも余分なスイング以外の負荷がかかってしまうという問題があった。
また、テニスやゴルフにおいても脇が締まりテイクバックからヒッティングポイントまで最短距離でスイングすることは共通する点である。
【０００３】
【特許文献１】特開２００３−２４４９２号公報
【発明の開示】
【発明が解決しようとする課題】
【０００４】
本発明は上記技術的課題に鑑みて、グリップ部と打球部を備えた打球用運動具を使用した運動の、スイング動作に必要な足、腰、腕、手首に充分な負荷をかけて筋力を向上し、その際に手首に無駄な負荷がかからない、携帯性に優れたハンディタイプのスイング練習具を提供することを目的とする。
【課題を解決するための手段】
【０００５】
本発明の技術的要旨は、グリップ部と打球部を備えたスイング練習具において、スイング練習具の略中央部にグリップ部軸を中心軸として回転可能に回転体を設け、該回転体にゴムバンドの一端を連結した点である。
【０００６】
ここで、スイング練習具の略中央部にグリップ部軸を中心軸として回転可能に回転体を設けとは、例えば円筒形状やリング形状の回転体を、スイング練習具の長手方向略中央部の外周方向に溝等のガイド部を設ける等して嵌め込み、このガイド部にそって回転するように設けることである。
この時、回転体の回転中心軸はグリップ部軸の延長線上にあればよい。
ゴムバンドは連結部を介して回転体に連結され、ゴムバンドの位置が変わるとそれにつれて連結部位置を回転させるように回転体が回転する。
この連結部の回転構造は、回転体を外周に沿ったレールで構成し、リング形状等の連結部をレールに通し、連結部だけを回転させる構造でもよい。
弾性体により帯状に形成したゴムバンドは、例えば一端にひも等からなる係止部材を設けて柱などに係止する。
そして、例えばバット状のスイング練習具のゴムバンドをテイクバック時から張った状態でスイングを行うと、ゴムバンドは回転体に引かれて伸びるとともに、復元力が働き縮もうとする。
この引く力は、必ずしも打球部の軸中心をとおっておらず、ずれているが、回転体はこの引く力が打球部の軸中心を通る位置にくるまで回転する。
このように引く力が打球部の軸中心を通るまで回転体が回転することで、ゴムバンドが打球部を介してグリップ軸中心にグリップ部を回転させようとする回転力が解消される。
これにより打球部には打球部の軸をゴムバンド方向に引く力だけがかかる。
ゴムバンドは、回転体側部分には非弾性体の樹脂製バンド部を設けて連結することで、万一柱との係止がはずれた場合でも練習者方向へ飛ぶ衝撃をほとんど吸収して弱めることができ、怪我を防止できる。
また、これらのバンドは金具をなるべく使用しないで形成すると、万一係止が外れた際の怪我を更に防止できる。
スイング練習具の長手方向略中央部とは、打球部からグリップ部にわたる長手方向の運動具のほぼ中央部をいい、運動具の種類によっても異なるがグリップ側端部から打球部に向けて約１／３と打球部端部からグリップ側に向けて約１／３の間が良い。
回転体はスイートスポット部付近に取り付けても良いが、この略中央部に回転体を装着することで、スイートスポット部付近に回転体を取り付けてゴムバンドの負荷がスイートスポット部付近にかかる場合と同様の負荷を得ることができる。
これにより、このスイートスポット部付近のスイートエリアでボールを打つ状態のスイングとほぼ同じスイングを練習できる。
スイング負荷の強弱は、例えば使用するゴムバンドの数を変更することで調整できる。
【０００７】
前記スイング練習具が野球バットスイング練習用である場合は、バット打球部の略中央部に設け、打球部外周にわたる円筒状やリング状等に形成した回転体を、打球部外周方向にゴムバンドとの連結部が回転可能に取り付ける。
打球部には、ボールをインパクトする位置における手首の回転状態を目で見て確かめられるように、切り欠き面状などの基準部を設けると良い。
【０００８】
前記スイング練習具がテニススイング練習用である場合は、テニスラケットグリップ部から打球部であるラケット面部にかけての長手方向略中央部のラケットの首部分にグリップ部の軸中心に回転可能に回転体を設け、該回転体にゴムバンドの一端を連結する。
【０００９】
前記スイング練習具がゴルフスイング練習用である場合は、ゴルフクラブグリップ部から打球部であるヘッド部にかけての長手方向略中央部のシャフト部に、グリップ部の軸中心に回転可能に回転体を設け、該回転体にゴムバンドの一端を連結する。
【００１０】
回転体を実際に使用するバットに後付け装着する場合、バット長手方向略中央部のバット打球部のテーパー状の傾斜部分まで回転体を移動させて、傾斜部分に回転体を嵌める。
そして、回転体に設けた、ループ状のゴムなどの弾性体からなる留め具をバット先端にかけて、ずれないよう固定する。
【００１１】
回転体を実際に使用するテニスラケットに後付け装着する場合には、ラケット首部分に装着する。
また、ゴルフクラブに装着する場合には、ゴルフクラブのシャフト部分に装着する。
【発明の効果】
【００１２】
本発明に係るスイング練習具においては、ゴムバンドを取り付けた回転体をスイング練習具の略中央部に設けることで、特に野球のスイング練習を行う場合に、テイクバック時に打球用練習具のヘッドを立てた状態から、スムーズに脇を締めた、手首に無駄な負担がかからないスイングを練習できる。
これによりバッティングに必要な足、腰、うで、手首に充分な負荷をかけたスイングができる。
この際、ゴムバンドと打球部の間に設けた回転体が回転式になっていることで特に手首に余分なねじれ方向の負荷がかかることを防止する。
スイングの負荷は、ゴムバンドを使用しているためゴムバンドを変更したり、使用するゴムバンド本数を変更することで容易に調整できる。
大がかりな器具を使用せず、ハンディタイプであるため広範囲に携帯したうえで、グラウンドや部屋の中など様々な場所で簡単にスイング練習を行える。
後付けの回転体は、例えば少年用のバットからプロ用バットまで極めて簡単に取り付け取り外しができるため、一つのスイング練習具で何種類ものバットを使用したスイング練習を行うことができる。
【発明を実施するための最良の形態】
【００１３】
本発明に係るスイング練習具をバットスイング練習用に適用した実施例を図１に示す。
スイング練習具１０ａは野球用バットの形状に形成される。
スイング練習具１０ａには野球用バットに対応して、手で握るグリップ部１１とボールを打つ部位に対応した打球部１２が設けられる。
グリップ部１１から打球部１２にわたるスイング練習具の長手方向の略中央部１３には、回転可能に回転体２０が設けられ、回転体２０にはバンド２１の一端が連結部２０ｅを介して取り付けられる。
この回転体２０はグリップ部１１の略中心軸１１ａを回転中心として回転するように、円筒状の回転体２０を、打球部１２の外周に沿って設けた凹部に嵌め込む等して取り付けられる。
バンド２１は回転体２０側の一部が樹脂製のバンド２１ａで形成され、この端にゴムバンド２１ｂが連結され、ゴムバンド２１ｂのもう一端にはゴムバンドを柱などに係止するためのひも２２が設けられる。
ひも２２は２本設けられ、このひも２２によりゴムバンド２１ｂの一端を柱などに係止する。
図１に示すスイング練習具の使用状態例を図２に示す。
図２（イ）は練習具をバットとして構えた状態で、図２（ロ）はバットスイング状態である。
図２（イ）において、練習者１はひも２２を柱２に係止し、バット状のスイング練習具１０ａのグリップ部１１を握りテイクバック状態でバットを立てた構えをしている。
スイング練習具１０ａの略中央部１３に回転体２０が設けられ、布ひも２２と回転体２０の間のゴムバンド２１ｂがテイクバック時において張った状態から練習者１はバットを振りだす。
回転体２０はスイング練習具の、長手方向略中央部である打球部１２からグリップ部１１にわたる長手方向の両端から３分の１の位置の間に取り付けられる。
これにより、ヘッドを立てた構えからひじを締めて手首に無理な力がかからない自然な状態で負荷をかけたスイングを行うことができる。
回転体２０は先端から３分の１以内の位置に取り付けると、負荷が強くなりがちでヘッドが寝てしまいスイング時に手首を痛めるおそれがあり、逆にグリップ部の端から３分の１以内の位置に取り付けると手に直接負荷を加えたのと変わらなくなってしまう。
【００１４】
バットスイング状態を図２（ロ）に示す。
バンド２１は回転体２０とひも２２の間でゴムバンド２１ｂが伸びるとともに復元力により縮もうとする。
この縮もうとする力により回転体２０は、図１とあわせて説明すると、バンド２１の回転体２０側方向を延長した先に打球部１２の軸１２ａがくるように連結部２０ｅの位置を回転させる。
このようにバンド２１の引く力が、打球部１２の軸１２ａを通るように回転体が回転することで、バンド２１の打球部１２と同じ中心軸をもつグリップ部１１を回転させようとする回転力が解消される。
これにより、打球部１２には打球部１２の軸１２ａをバンド２１方向に引く力のみがかかり、グリップ部はねじれない。
よって、スイング時に手首に余計な負荷がかかることが防止されている。
このバンド２１は、回転体２０側部分に非弾性の樹脂製バンド部２１ａを設けて回転体２０に連結することで、万一柱２との布ひも２２との係止がはずれた場合に、練習者１方向へバンド２１が飛ぶ衝撃をほとんど吸収させて弱めることができ、怪我を防止できる。
またバンド２１はなるべく非金属製の素材を使用することで、万一係止が外れた際の怪我が更に防止できる。
回転体２０はバットのスイートスポットに対応した位置の、練習具におけるスイートスポット部１４付近に取り付けても良いが、このように略中央部１３に装着すれば、スイートスポット部付近に回転体を取り付けた時と同様の負荷が得られる。
スイング負荷の強弱調整は、ゴムバンド２１ｂの種類を変更したり、その本数を変更して調整する。
スイング練習具の打球部には、ボールをインパクトする位置の手首の回転状態を目で見て確かめる基準とするため、切り欠き面１５が設けられている。
理想的なスイングである釘を打つようなバットスイングの練習を行うにあたっては、この切り欠き面１５の方向をチェックして練習すると効果的である。
【００１５】
通常使用するバットに対して後付けで装着するスイング練習具用回転バンドの実施例を図３（イ）に示し、バットへの装着状態を図３（ロ）に示し、使用状態例を図４に示す。
回転バンド１０ｄの回転体２０は円筒状などに形成され、円筒状内側の内筒部２０ａに対し円筒状外側の外筒部２０ｂを回転自在に形成される。
そして外筒部２０ｂにバンド２１の一端が取り付けられる。
また、内筒部２０ａの内側にはバットを挿入する挿入孔２０ｃが設けられる。
内筒部２０ａにはバットと回転バンド１０ｄを固定する、ゴムなど弾性体で形成されたループ状の留め具３１が設けられる。
この回転バンド１０ｄは、その装着状態を図３（ロ）に示すように、バット３ａの略中央部４に装着する。
回転バンド１０ｄはバット３ａのグリップ部５の軸５ａを中心軸として回転可能となるように回転体２０の挿入孔２０ｃにグリップ部５を挿し込んでグリップ部５からバット打球部６にかけての長手方向の略中央部４まで通し、打球部６の傾斜部７ｂに嵌めあわせ、留め具３１をバット先端７ａにかけて固定する。
練習者は図４に示すようにバット形状のスイング練習具と同様にスイング練習を行う。
【００１６】
本発明に係るスイング練習具をテニスラケット状に形成した練習具に対して適用した実施例を図５（イ）に示す。
テニスラケット形状のスイング練習具１０ｂの、グリップ部１１からラケット面に対応した打球部１２にかけての長手方向略中央部１３に位置するラケットの首部分に回転体２０が取り付けられる。
この回転体２０はグリップ部１１の軸を中心として回転可能に設けられ、バンド２１の一端が取り付けられる。
このスイング練習具の使用状態例を図５（ロ）に示す。
【００１７】
テニススイング練習用のスイング練習具が後付けの場合の実施例を図６（イ）に示す。
円筒状の回転体２０にバンド２１が設けられ、図６（ロ）に示すようにテニスラケット３ｂのグリップ部５を回転体２０の挿入孔へ挿し込み、ラケット３ｂの首部分に装着する。
この回転バンド１０ｅの使用状態例を図７に示す。
【００１８】
本発明に係るスイング練習具をゴルフクラブ状に形成した練習具に対して適用した実施例を図８（イ）に示す。
ゴルフクラブ形状のスイング練習具１０ｃの、長手方向の略中央部に回転体２０が取り付けられる。
この回転体２０はグリップ部１１とシャフト部１６の中心軸を中心として回転可能に設けられる。
このスイング練習具１０ｃの使用状態例を図８（ロ）に示す。
【００１９】
ゴルフスイング練習用のスイング練習具が後付けの場合の実施例を図９（イ）に示す。
円筒状の回転体２０の挿入孔に、図９（ロ）に示すようにゴルフクラブ３ｃのグリップ部５を挿し込み、ゴルフクラブ３ｃの長手方向の略中央部に装着する。
このゴルフスイング練習用の回転バンド１０ｆの使用状態例を図１０に示す。
【図面の簡単な説明】
【００２０】
【図１】本発明に係るスイング練習具をバットスイング練習用に適用した実施例を示す。
【図２】（イ）バット形状のスイング練習具を構えた状態を示す。（ロ）バット形状のスイング練習具のスイング状態を示す。
【図３】（イ）バットスイング練習用の後付けスイング練習具の実施例を示す。（ロ）後付けスイング練習具のバットへの装着状態を示す。
【図４】後付けスイング練習具をバットに装着したスイング状態を示す。
【図５】（イ）テニスラケット形状のスイング練習具の実施例を示す。（ロ）テニスラケット形状のスイング練習具のスイング状態を示す。
【図６】（イ）テニススイング練習用の後付けのスイング練習具の実施例を示す。（ロ）後付けスイング練習具のラケットへの装着状態を示す。
【図７】後付けスイング練習具をラケットに装着したスイング状態を示す。
【図８】（イ）ゴルフクラブ形状のスイング練習具の実施例を示す。（ロ）ゴルフクラブ形状のスイング練習具のスイング状態を示す。
【図９】（イ）ゴルフスイング練習用の後付けスイング練習具の実施例を示す。（ロ）後付けスイング練習具をゴルフクラブに装着した状態を示す。
【図１０】後付けスイング練習具をゴルフクラブに装着したスイング状態を示す。
【符号の説明】
【００２１】
１      練習者
２      柱
３ａ    バット
３ｂ    テニスラケット
３ｃ    ゴルフクラブ
４      運動具の略中央部
５      運動具のグリップ部
５ａ    運動具のグリップ部軸
６      運動具打球部
７ａ    バット先端
７ｂ    バット傾斜部
１０ａ、１０ｂ、１０ｃ    スイング練習具
１０ｄ、１０ｅ、１０ｆ    スイング練習具用回転バンド（後付けスイング練習具）
１１    スイング練習具グリップ部
１１ａ  スイング練習具グリップ部軸
１２    スイング練習具打球部
１２ａ  スイング練習具打球部軸
１３    スイング練習具略中央部
１４    スイング練習具スイートスポット部
１５    切り欠き面
１６    シャフト部
２０    回転体
２０ａ  回転体内筒部
２０ｂ  回転体外筒部
２０ｃ  回転体挿入孔
２０ｄ、２０ｅ    バンド連結部
２１    バンド
２１ａ  樹脂製バンド部
２１ｂ  ゴムバンド（弾性部材）
２２    ひも
３１    留め具
【図１】
2005095338.tif 000003
【図２】
2005095338.tif 000004
【図３】
2005095338.tif 000005
【図４】
2005095338.tif 000006
【図５】
2005095338.tif 000007
【図６】
2005095338.tif 000008
【図７】
2005095338.tif 000009
【図８】
2005095338.tif 000010
【図９】
2005095338.tif 000011
【図１０】
2005095338.tif 000012